(57)【要約】【課題】情報配信センターからナビゲーション装置へ配信される情報量を抑える。【解決手段】ナビゲーション装置により、ＨＤＤに記録されたＰＯＩ情報において更新対象情報を決定する（ステップＳ１０１、Ｓ１０２）。この更新対象情報に対してＰＯＩ更新情報を配信するか否かを情報配信センターにおいて判定し（ステップＳ２０２）、配信すると判定された場合にはＰＯＩ更新情報をナビゲーション装置へ配信する（ステップＳ２０３）。ナビゲーション装置は、こうして情報配信センターから配信された更新情報に基づいて更新対象情報を更新し（ステップＳ１０６）、その後、情報配信センターから更新情報が配信されたか否かに関わらず、更新対象情報に対して設定された更新期限を延長する（ステップＳ１０７）。【選択図】図３
2009139204.tif 000002
【特許請求の範囲】
【請求項１】
車両に搭載されるナビゲーション装置と、前記ナビゲーション装置において利用するための情報を前記ナビゲーション装置へ配信する情報配信センターとを有するナビゲーションシステムであって、
前記ナビゲーション装置は、
情報を記録するための記録手段と、
前記記録手段に記録された情報において更新対象情報を決定する決定手段と、
前記情報配信センターから配信される更新情報に基づいて、前記更新対象情報を更新する更新手段と、
前記情報配信センターから前記更新情報が配信されたか否かに関わらず、前記更新対象情報に対して設定された更新期限を延長する期限延長手段とを備えることを特徴とするナビゲーションシステム。
【請求項２】
請求項１に記載のナビゲーションシステムにおいて、
前記情報配信センターから前記更新情報が配信されない場合、前記ナビゲーション装置は、前記更新手段による前記更新対象情報の更新を行わずに、前記期限延長手段による前記更新期限の延長を行い、
前記情報配信センターから前記更新情報が配信された場合、前記ナビゲーション装置は、前記更新手段による前記更新対象情報の更新を行うと共に、前記期限延長手段による前記更新期限の延長を行うことを特徴とするナビゲーションシステム。
【請求項３】
請求項１または２に記載のナビゲーションシステムにおいて、
前記情報配信センターは、
前記更新情報を配信するか否かを判定する判定手段と、
前記判定手段により前記更新情報を配信すると判定された場合にのみ、前記更新情報を前記ナビゲーション装置へ配信する配信手段とを備えることを特徴とするナビゲーションシステム。
【請求項４】
請求項３に記載のナビゲーションシステムにおいて、
前記ナビゲーション装置は、前記更新対象情報について更新日時情報を前記情報配信センターへ送信する送信手段をさらに備え、
前記判定手段は、前記更新日時情報に基づいて前記更新情報を配信するか否かを判定することを特徴とするナビゲーションシステム。
【請求項５】
請求項１〜４いずれか一項に記載のナビゲーションシステムにおいて、
前記記録手段には、地図上の各ＰＯＩについてのＰＯＩ情報が記録されており、
前記決定手段は、前記記録手段に記録されたＰＯＩ情報においていずれかのＰＯＩを更新対象として特定することにより、前記更新対象情報を決定することを特徴とするナビゲーションシステム。
【請求項６】
請求項１〜５いずれか一項に記載のナビゲーションシステムにおいて用いられるナビゲーション装置。
【発明の詳細な説明】
【技術分野】
【０００１】
本発明は、車両に搭載されるナビゲーション装置と、ナビゲーション装置において利用するための情報をナビゲーション装置へ配信する情報配信センターとを有するナビゲーションシステムに関する。
【背景技術】
【０００２】
従来、情報配信センターとナビゲーション装置を無線通信により接続し、情報配信センターから配信される情報をナビゲーション装置において利用できるようにしたナビゲーションシステムが知られている。たとえば、特許文献１には、地図情報配信センターから配信される最新のＰＯＩ情報を画面上に表示するナビゲーション装置が開示されている。
【０００３】
【特許文献１】特開２００３−２４７８３７号公報
【発明の開示】
【発明が解決しようとする課題】
【０００４】
特許文献１に開示されるような従来のナビゲーションシステムでは、情報配信センターにおいて情報の内容が更新されているか否かに関わらず、ナビゲーション装置からの要求があると、要求された情報を情報配信センターからナビゲーション装置へ配信している。したがって、配信される情報量が大きくなり、通信料金や通信時間の増加という問題を生じている。
【課題を解決するための手段】
【０００５】
請求項１の発明によるナビゲーションシステムは、車両に搭載されるナビゲーション装置と、ナビゲーション装置において利用するための情報をナビゲーション装置へ配信する情報配信センターとを有するナビゲーションシステムであって、ナビゲーション装置は、情報を記録するための記録手段と、記録手段に記録された情報において更新対象情報を決定する決定手段と、情報配信センターから配信される更新情報に基づいて更新対象情報を更新する更新手段と、情報配信センターから更新情報が配信されたか否かに関わらず、更新対象情報に対して設定された更新期限を延長する期限延長手段とを備えるものである。
請求項２の発明は、請求項１に記載のナビゲーションシステムにおいて、情報配信センターから更新情報が配信されない場合、ナビゲーション装置は、更新手段による更新対象情報の更新を行わずに、期限延長手段による更新期限の延長を行う。また、情報配信センターから更新情報が配信された場合、ナビゲーション装置は、更新手段による更新対象情報の更新を行うと共に、期限延長手段による更新期限の延長を行うものである。
請求項３の発明は、請求項１または２に記載のナビゲーションシステムにおいて、情報配信センターは、更新情報を配信するか否かを判定する判定手段と、判定手段により更新情報を配信すると判定された場合にのみ、更新情報をナビゲーション装置へ配信する配信手段とを備えるものである。
請求項４の発明は、請求項３に記載のナビゲーションシステムにおいて、ナビゲーション装置は、更新対象情報について更新日時情報を情報配信センターへ送信する送信手段をさらに備える。このナビゲーションシステムにおいて、判定手段は、更新日時情報に基づいて更新情報を配信するか否かを判定するものである。
請求項５の発明は、請求項１〜４いずれか一項に記載のナビゲーションシステムにおいて、記録手段には、地図上の各ＰＯＩについてのＰＯＩ情報が記録されている。このナビゲーションシステムにおいて、決定手段は、記録手段に記録されたＰＯＩ情報においていずれかのＰＯＩを更新対象として特定することにより、更新対象情報を決定するものである。
請求項６の発明は、請求項１〜５いずれか一項に記載のナビゲーションシステムにおいて用いられるナビゲーション装置である。
【発明の効果】
【０００６】
本発明によれば、情報配信センターからナビゲーション装置へ配信される情報量を抑えることができる。
【発明を実施するための最良の形態】
【０００７】
本発明の一実施の形態によるナビゲーションシステムの構成を図１に示す。このシステムは、車両１００に搭載されているナビゲーション装置１および通信端末２と、移動体通信網３と、移動体通信網３を介してナビゲーション装置１へ各種の情報を配信する情報配信センター４とによって構成される。ナビゲーション装置１と通信端末２は、ケーブルを用いた有線接続あるいは無線接続によって接続されている。通信端末２には、たとえば携帯電話などが用いられる。
【０００８】
ナビゲーション装置１は、地図データに基づいて地図を表示すると共に、設定された目的地までの推奨経路を探索し、車両１００をその目的地まで案内する。またナビゲーション装置１は、情報配信センター４から配信される情報を受信して、その配信情報を様々な用途に利用することができる。たとえば、地図上に存在する各種の設備や施設（ＰＯＩ：Point Of Interest）について、情報配信センター４から配信されるＰＯＩ更新情報を受信すると、そのＰＯＩ更新情報に基づいて、地図データ中のＰＯＩ情報を更新することができる。なお、このＰＯＩ情報の具体的な更新方法については、後で詳しく説明する。
【０００９】
通信端末２は、ナビゲーション装置１の制御により、必要に応じて移動体通信網３と無線接続を行う。移動体通信網３には、情報配信センター４が接続されている。すなわちナビゲーション装置１は、通信端末２および移動体通信網３を介して情報配信センター４に接続する。なお、通信端末２と移動体通信網３の無線接続には、不図示の無線基地局が用いられる。この無線基地局は、その周囲の所定の通信エリア内にある通信端末２と無線通信することが可能であり、全国各地に散在している。
【００１０】
情報配信センター４には、地図上の道路や施設などに関する様々なデータが記録されている。情報配信センター４は、この記録データに基づいて、前述のＰＯＩ更新情報を始めとしたナビゲーション装置１において利用するための各種の情報を必要に応じて作成し、ナビゲーション装置１からの配信要求に応じて配信する。こうして情報配信センター４から配信される情報は、ＰＯＩ更新情報に限られない。たとえば、ＰＯＩ情報以外の地図データを更新するための情報や、道路の渋滞情報、天気予報情報、電子メール情報などを、情報配信センター４からナビゲーション装置１へ配信することができる。
【００１１】
ナビゲーション装置１の構成を図２に示す。ナビゲーション装置１は、制御部１０、振動ジャイロ１１、車速センサ１２、ハードディスク（ＨＤＤ）１３、ＧＰＳ受信部１４、表示モニタ１５および入力装置１６を備えている。
【００１２】
制御部１０は、マイクロプロセッサや各種周辺回路、ＲＡＭ、ＲＯＭ等によって構成されており、ＨＤＤ１３に記録されている制御プログラムや地図データに基づいて、各種の処理を実行する。この制御部１０により、車両１００を目的地まで案内するための様々な処理が実行される。たとえば、目的地を設定する際の目的地の探索処理、設定された目的地までの推奨経路の探索処理、車両１００の現在位置の検出処理、各種の画像表示処理、ルート案内時の音声出力処理などが実行される。制御部１０には通信端末２が接続されており、制御部１０によって通信端末２を制御することで、ナビゲーション装置１から図１の情報配信センター４に対して、様々な情報の配信要求が行われる。この配信要求に応じて情報配信センター４から配信された情報は、通信端末２を経由して制御部１０へ出力される。
【００１３】
振動ジャイロ１１は、車両１００の角速度を検出するためのセンサである。車速センサ１２は、車両１００の車速を検出するためのセンサである。これらのセンサを用いて車両１００の運動状態を所定の時間間隔ごとに検出することにより、車両位置の移動量が求められ、それによって車両１００の現在位置が検出される。
【００１４】
ＨＤＤ１３は、記録されたデータを書き換え可能な不揮発性の記録媒体であり、地図データを含む各種のデータが記録されている。ＨＤＤ１３に記録されている地図データは、必要に応じて制御部１０の制御により読み出され、制御部１０が実行する様々な処理や制御に利用される。この地図データには、経路計算データと、経路誘導データと、道路データと、背景データとが含まれている。経路計算データは、目的地までのルート探索に用いられる。経路誘導データは、設定された経路に従って車両１００を目的地まで誘導するために用いられ、交差点名称や道路名称などを表す。道路データは、道路の形状を表す。背景データは、河川や鉄道など道路以外の地図形状を表す。
【００１５】
なお、上記の背景データの中には、前述のＰＯＩ情報も含まれている。このＰＯＩ情報は、地図上の各ＰＯＩについての様々な情報、たとえば位置、名称、施設種類などを表している。さらに、営業時間や飲食店のメニュー表などの詳細な情報がＰＯＩ情報に含まれることもある。ＨＤＤ１３には、このような地図上の各ＰＯＩについてのＰＯＩ情報が記録されている。
【００１６】
ＨＤＤ１３に記録されている地図データは、その一部または全部を必要に応じて書き換えることにより、更新が可能である。この地図データの更新は、情報配信センター４からの配信情報に含まれるデータや、不図示のＤＶＤドライブに装填されたＤＶＤ等の記録メディアから読み出されたデータ、外部装置からの入力データなどに基づいて行われる。あるいは、ナビゲーション装置１からＨＤＤ１３を取り外してパーソナルコンピュータ等と接続することにより、地図データを更新できるようにしてもよい。
【００１７】
ＨＤＤ１３に記録されている地図データには、その更新単位ごとに更新日時と更新期限が設定されている。上記のようにしてＨＤＤ１３に記録された地図データが更新されると、そのときの日時が新たに更新日時として設定されると共に、更新期限の延長が行われる。この更新期限の延長は、更新日時から一定期間後、たとえば３ヶ月後の日時が新たに更新期限として設定されることにより行われる。なお、地図データの全部ではなく一部が更新された場合には、更新した部分に対してのみ新たな更新日時の設定と更新期限の延長が行われる。すなわち、更新していない部分については、更新前に設定されていた更新日時と更新期限がそのまま適用される。
【００１８】
ＧＰＳ受信部１４は、ＧＰＳ衛星から送信されるＧＰＳ信号を受信して制御部１０へ出力する。ＧＰＳ信号には、車両１００の位置と現在時刻を求めるための情報として、そのＧＰＳ信号を送信したＧＰＳ衛星の位置と送信時刻が含まれている。したがって、所定数以上のＧＰＳ衛星からＧＰＳ信号を受信することにより、これらの情報に基づいて車両１００の現在位置と現在時刻を算出することができる。
【００１９】
表示モニタ１５は、ナビゲーション装置１において様々な画面表示を行うための装置であり、液晶ディスプレイ等を用いて構成される。この表示モニタ１５により、地図画面の表示などが行われる。表示モニタ１５に表示される画面の内容は、制御部１０が行う画面表示制御によって決定される。表示モニタ１５は、たとえば車両１００のダッシュボード上やインストルメントパネル内など、ユーザが見やすいような位置に設置されている。
【００２０】
入力装置１６は、ナビゲーション装置１を動作させるための様々な入力操作をユーザが行うための装置であり、各種の入力スイッチ類を有している。ユーザは入力装置１６を操作することにより、たとえば、目的地に設定したい施設や地点の名称等を入力したり、予め登録された登録地の中から目的地を選択したり、地図を任意の方向にスクロールしたりすることができる。この入力装置１６は、操作パネルやリモコンなどによって実現することができる。あるいは、表示モニタ１５と一体化されたタッチパネルにより入力装置１６を実現してもよい。
【００２１】
ユーザが入力装置１６を操作して目的地を設定すると、ナビゲーション装置１は、前述の経路計算データに基づいて所定のアルゴリズムの演算を行うことにより、目的地までの推奨経路を探索する。そして、車両１００の現在位置を検出し、その周辺の道路地図を表示しながら、探索された推奨経路に従って車両１００を目的地まで誘導する。
【００２２】
次に、情報配信センター４から配信されたＰＯＩ更新情報に基づいて、ＨＤＤ１３に記録された地図データ中のＰＯＩ情報を更新する方法について説明する。このときのフローチャートを図３に示す。図３において、（ａ）のフローチャートはナビゲーション装置１の制御部１０において実行され、（ｂ）のフローチャートは情報配信センター４において実行される。これらのフローチャートは、いずれも所定の時間間隔ごとに繰り返し実行される。
【００２３】
図３（ａ）のステップＳ１０１では、ＨＤＤ１３に記録されたＰＯＩ情報において、更新期限の判断を行うＰＯＩを選択する。ここでは、様々な方法によってＰＯＩを選択することができる。たとえば、車両１００の現在位置から所定範囲内に存在するＰＯＩや、設定された推奨経路に沿って所定の距離範囲内に存在するＰＯＩなどを、更新期限の判断を行うＰＯＩとして選択することができる。さらにこのとき、施設種類などの条件を設定して選択対象とするＰＯＩを絞り込むようにしてもよい。
【００２４】
ステップＳ１０２では、ステップＳ１０１において選択されたＰＯＩの中から更新期限切れのＰＯＩを抽出する。なお、ＨＤＤ１３に記録されているＰＯＩ情報には、各ＰＯＩごとに更新日時と更新期限が前述したようにそれぞれ設定されている。そのため、ステップＳ１０１で選択したＰＯＩに対して設定された更新期限を現在の日時と比較して、既に更新期限を過ぎているものがあれば、そのＰＯＩを更新期限切れのＰＯＩとして抽出することができる。こうして更新期限切れのＰＯＩを抽出したら、次のステップＳ１０３へ進む。
【００２５】
以上説明したステップＳ１０１およびＳ１０２の処理を実行することで、ＰＯＩ情報を更新するＰＯＩが特定される。すなわち、ステップＳ１０１においてＰＯＩを選択し、ステップＳ１０２においてその選択されたＰＯＩのうちいずれかを更新期限切れのＰＯＩとして抽出することで、ＨＤＤ１３に記録されたＰＯＩ情報においていずれかのＰＯＩが更新対象として特定される。こうして特定されたＰＯＩを対象として、続くステップＳ１０３の処理が実行される。このようにして、ＨＤＤ１３に記録された情報において更新対象情報が決定される。
【００２６】
ステップＳ１０３では、ステップＳ１０１およびＳ１０２の処理を実行することによって特定された更新対象のＰＯＩについて、ＰＯＩ情報の更新要求および更新日時情報を情報配信センター４に対して送信する。ここで送信した更新要求および更新日時情報は、情報配信センター４において、図３（ｂ）のステップＳ２０１で受信される。なお、この更新要求および更新日時情報の送信は、前述のように通信端末２および移動体通信網３を介して行われる。
【００２７】
ステップＳ１０４では、ステップＳ１０３で送信したＰＯＩ情報の更新要求に応じて情報配信センター４からＰＯＩ更新情報が配信されたか否かを判定する。情報配信センター４からＰＯＩ更新情報が配信され、その後に更新期限の延長指示があった場合は、ステップＳ１０５へ進む。一方、情報配信センター４からＰＯＩ更新情報が配信されることなく更新期限の延長指示があった場合は、ステップＳ１０７へ進む。この更新期限の延長指示は、情報配信センター４において、図３（ｂ）のステップＳ２０４で行われる。なお、ＰＯＩ更新情報は、情報配信センター４において図３（ｂ）のステップＳ２０２で実行される判定結果によっては、配信されない場合もある。
【００２８】
ステップＳ１０５では、情報配信センター４から配信されたＰＯＩ更新情報を受信する。このＰＯＩ更新情報は、ナビゲーション装置１において当該ＰＯＩ情報を最新の内容へと更新するための情報であり、後で説明する図３（ｂ）のステップＳ２０３において情報配信センター４から配信される。
【００２９】
ステップＳ１０６では、ステップＳ１０５で受信したＰＯＩ更新情報に基づいてＰＯＩ情報の更新を行う。これにより、ステップＳ１０１およびＳ１０２において更新対象に特定されたＰＯＩについて、ＨＤＤ１３に記録されたＰＯＩ情報が更新される。さらにこのとき、更新を行った日時すなわち現在の日時を、そのＰＯＩ情報に対する新たな更新日時として設定する。ステップＳ１０６を実行したら、ステップＳ１０７へ進む。
【００３０】
なお、ステップＳ１０３において複数のＰＯＩについてＰＯＩ情報の更新要求を情報配信センター４へ送信した場合は、後で説明するように、情報配信センター４からそのうち一部のＰＯＩについてのみＰＯＩ更新情報が配信される場合がある。このような場合、ステップＳ１０６において、ＰＯＩ更新情報が配信されたＰＯＩについてのみＰＯＩ情報を更新し、ＰＯＩ更新情報が配信されなかったＰＯＩについてはＰＯＩ情報を更新しないようにする。
【００３１】
ステップＳ１０７では、ステップＳ１０３で更新要求を送信したＰＯＩ情報に対して設定された更新期限を延長する。このとき、たとえば現在から３ヶ月後の日時を新たな更新期限として設定することにより、更新期限を延長する。ステップＳ１０７を実行したら、図３（ａ）のフローチャートを終了する。
【００３２】
なお、ステップＳ１０７では、情報配信センター４からＰＯＩ更新情報が配信され、それに応じてステップＳ１０６において実際にＰＯＩ情報を更新したか否かに関わらず、更新要求を送信した全てのＰＯＩ情報について更新期限を延長する。すなわち、ＰＯＩ情報の更新要求を送信したが、情報配信センター４からＰＯＩ更新情報が配信されなかったＰＯＩについては、ステップＳ１０６においてそのＰＯＩ情報の更新を行わずに、ステップＳ１０７において更新期限だけを延長する。一方、ＰＯＩ情報の更新要求を送信し、それに応じて情報配信センター４からＰＯＩ更新情報が配信されたＰＯＩについては、ステップＳ１０６においてそのＰＯＩ情報の更新を行うと共に、ステップＳ１０７において更新期限の延長を行う。
【００３３】
ナビゲーション装置１では、以上説明したような処理が実行されることにより、ＨＤＤ１３に記録された地図データにおいてＰＯＩ情報が更新される。
【００３４】
次に、情報配信センター４において実行される図３（ｂ）のフローチャートについて説明する。ステップＳ２０１では、更新対象に特定されたＰＯＩについてナビゲーション装置１から送信されたＰＯＩ情報の更新要求および更新日時情報を受信する。なお、ここで受信されるＰＯＩ情報の更新要求および更新日時情報は、先に説明した図３（ａ）のステップＳ１０３においてナビゲーション装置１から送信されたものである。
【００３５】
ステップＳ２０２では、ステップＳ２０１で受信した更新日時情報に基づいて、更新要求されたＰＯＩ情報について、ナビゲーション装置１側の更新日時と情報配信センター４側の更新日時のどちらが古いかを判定する。ナビゲーション装置１側の更新日時の方が古い場合、すなわち情報配信センター４において記録されているＰＯＩ情報の方が新しい場合は、ＰＯＩ更新情報の配信を行うと判断してステップＳ２０３へ進む。一方、情報配信センター４側の更新日時の方が古い場合、すなわちナビゲーション装置１のＨＤＤ１３において記録されているＰＯＩ情報の方が新しい場合は、ＰＯＩ更新情報の配信を行わないと判断してステップＳ２０４へ進む。このようにして、ＰＯＩ更新情報を配信するか否かを判定する。
【００３６】
ステップＳ２０３では、ＰＯＩ更新情報の配信を行う。ここでは、情報配信センター４に記録されているＰＯＩ情報のうち、ナビゲーション装置１から更新要求が送信され、かつステップＳ２０２においてナビゲーション装置１側の更新日時の方が古いと判定されたＰＯＩ情報の内容を、ＰＯＩ更新情報として配信する。これにより、ステップＳ２０２においてＰＯＩ更新情報を配信すると判定された場合にのみ、ＰＯＩ更新情報をナビゲーション装置１へ配信する。ステップＳ２０３を実行したら、次のステップＳ２０４へ進む。このＰＯＩ更新情報の配信は、図３（ａ）のステップＳ１０３における更新要求および更新日時情報の送信と同様に、通信端末２および移動体通信網３を介して行われる。
【００３７】
なお、ステップＳ２０１において複数のＰＯＩについてＰＯＩ情報の更新要求をナビゲーション装置１から受信していた場合は、各ＰＯＩごとに上記のステップＳ２０２およびＳ２０３の処理を実行する。すなわち、ナビゲーション装置１側の更新日時の方が古いＰＯＩについては、ステップＳ２０３においてＰＯＩ更新情報を配信する。その一方で、情報配信センター４側の更新日時の方が古いＰＯＩについては、ステップＳ２０３を実行せずにＰＯＩ更新情報の配信を行わない。その結果、ナビゲーション装置１においてＰＯＩ情報の更新を要求したＰＯＩのうち、一部のＰＯＩについてのみ情報配信センター４からナビゲーション装置１へＰＯＩ更新情報が配信される場合がある。
【００３８】
さらに、ステップＳ２０３においてＰＯＩ更新情報を配信する際には、差分情報のみを配信するようにしてもよい。すなわち、ナビゲーション装置１からＰＯＩ情報の更新要求と共に送信された更新日時情報に基づいて、ナビゲーション装置１のＨＤＤ１３に記録されている当該ＰＯＩ情報の内容と、情報配信センター４に記録されている当該ＰＯＩ情報の内容との差分を求める。この差分の情報のみをＰＯＩ更新情報として送信すれば、当該ＰＯＩ情報をそのまま配信する場合と比べて、情報配信センター４からナビゲーション装置１へ配信される情報量を低減することができる。
【００３９】
ステップＳ２０４では、ナビゲーション装置１に対して更新期限の延長指示を行う。この更新期限の延長指示がステップＳ２０３によるＰＯＩ更新情報の配信後に行われたか否かにより、図３（ａ）のステップＳ１０４の判定がナビゲーション装置１において行われる。この更新期限の延長指示も、ステップＳ２０３におけるＰＯＩ更新情報の配信と同様に、通信端末２および移動体通信網３を介して行われる。なお、ステップＳ２０３においてＰＯＩ更新情報の配信を行う際に、一緒にステップＳ２０４の更新期限の延長指示を行うようにしてもよい。
【００４０】
ステップＳ２０４を実行したら、図３（ｂ）のフローチャートを終了する。情報配信センター４では、以上説明したような処理が実行されることにより、ナビゲーション装置１に対してＰＯＩ更新情報が配信される。
【００４１】
上記のようにしてＨＤＤ１３に記録されたＰＯＩ情報を更新する様子を、図４に示す画面例により説明する。図４（ａ）は、施設種類に飲食店を指定したときの周辺施設検索結果の表示画面例であり、これには検索された飲食店の名称と場所が表示されている。図４（ｂ）は、図４（ａ）の画面においてユーザに選択された施設について詳細情報を表示した画面例であり、これには営業時間やメニュー表などが表示されている。
【００４２】
ナビゲーション装置１において、ユーザの操作により図４のような画面を表示するように指示されると、それに先立って、表示対象とするＰＯＩについてＰＯＩ情報の更新要求を情報配信センター４に対して行い、更新期限が過ぎたＰＯＩ情報を更新する。その後、更新されたＰＯＩ情報に基づいて、図４に示すような画面が表示される。なお、以上説明した内容はあくまでＰＯＩ情報を更新するときの一例であるため、これ以外の場合であっても、状況に応じて様々なタイミングによりＰＯＩ情報の更新が行われる。
【００４３】
上記の実施の形態では、ＰＯＩ情報を更新する場合の処理内容を図３および図４により説明したが、他の情報、たとえばＰＯＩ情報以外の地図情報や、地図情報以外の様々な情報を更新する場合にも、同様の処理を適用することができる。すなわち、ナビゲーション装置１において、ＨＤＤ１３に記録されている情報の一部をその更新単位に応じて更新対象情報に決定すれば、ＰＯＩ情報の場合と同様に、情報配信センター４から配信される更新情報に基づいて、その更新対象情報を更新することができる。また、情報配信センター４から更新情報が配信されたか否かに関わらず、更新対象情報に対して設定された更新期限を延長することができる。
【００４４】
以上説明した実施の形態によれば、次の作用効果を奏する。
（１）ナビゲーション装置１により、ＨＤＤ１３に記録された情報において更新対象情報を決定し（ステップＳ１０１、Ｓ１０２）、情報配信センター４から配信される更新情報に基づいて、その更新対象情報を更新する（ステップＳ１０６）。さらに、情報配信センター４から更新情報が配信されたか否かに関わらず、更新対象情報に対して設定された更新期限を延長する（ステップＳ１０７）こととした。このようにしたので、情報配信センター４から更新情報を配信しなくてもナビゲーション装置１において更新期限を延長できるため、情報配信センターからナビゲーション装置へ配信される情報量を抑えることができる。
【００４５】
（２）情報配信センター４から更新情報が配信されたか否かを判定する（ステップＳ１０４）。この判定結果により、情報配信センター４から更新情報が配信されない場合、ナビゲーション装置１は、ステップＳ１０６による更新対象情報の更新を行わずに、ステップＳ１０７による更新期限の延長を行う。また、情報配信センター４から更新情報が配信された場合、ナビゲーション装置１は、ステップＳ１０６による更新対象情報の更新を行うと共に、ステップＳ１０７による更新期限の延長を行うこととした。このようにしたので、情報が更新されたか否かに関わらず、ナビゲーション装置１において更新を要求した全ての情報について、更新期限を延長することができる。
【００４６】
（３）情報配信センター４において、更新情報を配信するか否かを判定し（ステップＳ２０２）、更新情報を配信すると判定された場合にのみ、更新情報をナビゲーション装置１へ配信する（ステップＳ２０３）こととした。このようにしたので、情報配信センター４からナビゲーション装置１へ無駄な更新情報が配信されるのを防いで、その情報量を抑えることができる。
【００４７】
（４）ナビゲーション装置１において、更新対象情報について更新日時情報を情報配信センター４へ送信する（ステップＳ１０３）。情報配信センター４では、ステップＳ２０２において、この更新日時情報に基づいて更新情報を配信するか否かを判定する。すなわち、更新日時情報が表すナビゲーション装置１側の更新日時と、情報配信センター４側の更新日時とをステップＳ２０２で比較する。この比較結果により、ナビゲーション装置１側の更新日時が古ければ更新情報を配信すると判定してステップＳ２０３へ進み、情報配信センター４側の更新日時が古ければ更新情報を配信しないと判定してステップＳ２０４へ進むこととした。このようにしたので、更新情報を配信するか否かを的確に判断することができる。
【００４８】
（５）ＨＤＤ１３には、地図上の各ＰＯＩについてのＰＯＩ情報が記録されている。ステップＳ１０１とＳ１０２では、このＰＯＩ情報においていずれかのＰＯＩを更新対象として特定することにより、更新対象情報を決定することとした。このようにしたので、更新が必要なＰＯＩ情報のみを更新対象情報に決定し、その内容を更新することができる。
【００４９】
なお、以上説明した実施の形態や各種の変形例は、あくまで一例である。したがって、発明の特徴が損なわれない限り、本発明はこれらの内容に限定されるものではない。
【００５０】
以上説明した実施の形態では、記録手段をＨＤＤ１３により実現し、特許請求の範囲に記載されたそれ以外の各手段を、ナビゲーション装置１の制御部１０または情報配信センター４において実行される処理によってそれぞれ実現することとした。すなわち、ナビゲーション装置１の制御部１０は、決定手段、更新手段、期限延長手段および送信手段として機能することができる。また、情報配信センター４は、判定手段および配信手段として機能することができる。なお、以上の説明はあくまで一例であり、発明を解釈する際、上記の実施の形態の記載事項と特許請求の範囲の記載事項の対応関係には何ら限定も拘束もされない。
【図面の簡単な説明】
【００５１】
【図１】本発明の一実施形態によるナビゲーションシステムの構成図である。
【図２】ナビゲーション装置の構成図である。
【図３】ＰＯＩ情報を更新する際のフローチャートであり、（ａ）はナビゲーション装置において実行されるフローチャートを、（ｂ）は情報配信センターにおいて実行されるフローチャートをそれぞれ示している。
【図４】ＰＯＩ情報を更新する様子を説明するための画面例であり、（ａ）は施設種類に飲食店を指定したときの周辺施設検索結果の表示画面例を、（ｂ）はユーザに選択された施設について詳細情報を表示した画面例をそれぞれ示している。
【符号の説明】
【００５２】
１：ナビゲーション装置                ２：通信端末
３：移動体通信網                      ５：情報配信センター
１０：制御部                          １１：振動ジャイロ
１２：車速センサ                      １３：ＨＤＤ
１４：ＧＰＳ受信部                    １５：表示モニタ
１６：入力装置
【図１】
2009139204.tif 000003
【図２】
2009139204.tif 000004
【図３】
2009139204.tif 000005
【図４】
2009139204.tif 000006